Podtech/llm-jp-corpus-v4-ja_patent huggingface dataset:
(57)【要約】【課題】  木造建築物の壁、床や屋根構造に使用される断熱パネルに関し、現場で建物の軸組内空間にはめ込むだけで容易に施工できる断熱材一体パネルを提供する。【解決手段】  木造建築物の壁、床や屋根構造に使用される断熱パネルであって、方形枠状の木製フレーム１と、面材２と、断熱材係止部３と、断熱材４とから成り、該木製フレーム１の一方の面を該面材２で塞ぐとともに、該木製フレーム１の内周面に於いて、該面材２側端に沿って所定の深さ及び幅の欠き込みを成形して該断熱材係止部３を設け、該断熱材４の周縁部を係止し該面材２と密着して装着し、これらを一体に形成して、現場で建物の軸組内空間にはめ込むだけで容易に施工できる断熱材一体パネルとした。【選択図】図３
0003205823.tif 000002
【実用新案登録請求の範囲】
【請求項１】
木造建築物の壁、床や屋根構造に使用される断熱パネルであって、方形枠状の木製フレームと、面材と、断熱材係止部と、断熱材とから成り、該木製フレームの一方の面を該面材で塞ぐとともに、該木製フレームの内周面に於いて、該面材側端に沿って所定の深さ及び幅の欠き込みを成形して該断熱材係止部を設け、該断熱材の周縁部を係止し該面材と密着して装着し、これらを一体に形成したことを特徴とする断熱材一体パネル。
【考案の詳細な説明】
【技術分野】
【０００１】  本考案は、木造建築物の壁、床や屋根構造に使用される断熱パネルに関する。
【背景技術】
【０００２】  従来より、建物の壁、床や屋根構造を向上させるために様々な提案がなされている。作業効率を目的としたパネル工法もその一つで、人手不足や工事期間の短縮などに効果を上げている。【０００３】住宅の壁、床や屋根構造を支持可能なパネル工法は、断熱材を併用することにより屋内外の熱を遮断し、住宅全体の保温・断熱効果も期待されることから、メーカー各社から様々な形態の断熱パネルが市販・提供されている。
【考案の概要】
【考案が解決しようとする課題】
【０００４】  しかしながら、断熱パネルの取り付けや断熱材の使用には施工基準を満たすための高度な技術や経験を要するため、技術の低い者や未経験者が施工した際、本来有する性能を発揮できなかったり不具合が生じるなどの問題点を有していた。【０００５】本考案は、上記従来有する問題点に鑑み、木造建築物の壁、床や屋根構造に使用される断熱パネルに関し、高度な技術や経験を要することなく施工を可能にして、現場作業の効率化を図ろうとするものである。【０００６】詳しくは、木造建築物の壁、床や屋根構造に使用される断熱パネルに関し、現場で建物の軸組内空間にはめ込むだけで容易に施工できる断熱材一体パネルを提供しようとするものである。
【課題を解決するための手段】
【０００７】  本考案の断熱材一体壁パネルは、木造建築物の壁、床や屋根構造に使用される断熱パネルであって、方形枠状の木製フレーム１と、面材２と、断熱材係止部３と、断熱材４とから成り、該木製フレーム１の一方の面を該面材２で塞ぐとともに、該木製フレーム１の内周面に於いて、該面材２側端に沿って所定の深さ及び幅の欠き込みを成形して該断熱材係止部３を設け、該断熱材４の周縁部を係止し該面材２と密着して装着し、これらを一体に形成して、現場で建物の軸組内空間にはめ込むだけで容易に施工できる断熱材一体パネルとした。
【考案の効果】
【０００８】  本考案によれば、施工現場に於いて正確な取り付け作業等が容易であり、かつ、工事期間の短縮や端材の軽減、効果的な保温・断熱効果が期待できる。
【図面の簡単な説明】
【０００９】
【図１】  本考案に於ける断熱材一体パネルの分解図である。
【図２】  本考案に於ける断熱材一体パネルの正面図である。
【図３】  図２のＡ−Ｂ矢視断面図である。
【図４】  図３の仕様説明図である。
【考案を実施するための形態】
【００１０】  以下、本考案の実施の形態について、図面を参照して説明する。
図１・図２・図３に示すように、本考案の断熱材一体パネルは、木造建築物の壁、床や屋根構造に使用される断熱パネルであって、方形枠状の木製フレーム１と、面材２と、断熱材係止部３と、断熱材４とから成り、該木製フレーム１の一方の面を該面材２で塞ぐとともに、該木製フレーム１の内周面に於いて、該面材２側端に沿って所定の深さ及び幅の欠き込みを成形して該断熱材係止部３を設け、該断熱材４の周縁部を係止し該面材２と密着して装着し、これらを一体に形成して、現場で建物の軸組内空間にはめ込むだけで容易に施工できる断熱材一体パネルとした。
【００１１】図４に示すように、仕様により、該木製フレーム１の両方の面を該面材２で塞ぎ、パネル内に空間５を形成することも可能である。
【符号の説明】
【００１２】    １    木製フレーム
２    面材
３    断熱材係止部
４    断熱材
５    空間
【図１】
0003205823.tif 000003
【図２】
0003205823.tif 000004
【図３】
0003205823.tif 000005
【図４】
0003205823.tif 000006
(57)【要約】      （修正有）【課題】見開き状態での左右の書類用紙の間隔の調整が可能となり、リング式ファイルブックに綴じた場合、各種のリング径のサイズに応じた使用が可能になる書類用紙の結束綴じ具を提供する。【解決手段】長方形の紙片又は樹脂製フィルム片の、中央部を除いた両端部のそれぞれの片面に接着加工を施した接着面を有するシート２を複数枚束ねて中心の非接着部１１を、紙片の場合はホッチキス等で、又樹脂製フィルムの場合は熱溶着手段等で結束した。【選択図】図１
0003205828.tif 000002
【実用新案登録請求の範囲】
【請求項１】
長方形の紙片又は樹脂製フィルム片の、中央部を除いた両端部のそれぞれの片面に接着加工を施した接着面を有するシートを複数枚束ねて中心の非接着部を、紙片の場合はホッチキス等で、又樹脂製フィルムの場合は熱溶着手段等で結束した書類用紙の結束綴じ具
【請求項２】
請求項１の綴じ具の中央部の非接着部に間隔を示す目安線を記入し、その間隔目安線に合わせて紙片の端部を接着面に接着することで、見開き状態での左右の書類用紙の間隔を調整することを目的とした書類用紙の結束綴じ具
【考案の詳細な説明】
【技術分野】
【０００１】  定形書類用紙の綴じ具に関する
【技術背景】
【０００２】  定形の書類用紙は必要部数を束ねて、用紙の上辺か左右辺の余白を綴じ代として、ホッチキスや綴じ紐等で綴じて書類一式とする、それを分類別にファイルブック等に収納する場合が多いが、以下の考案に類する先行文献は見当らず。
【考案の概要】
【考案が解決しようとする課題】
【０００３】  複数枚の書類用紙の余白の綴じ代をホッチキス等で束ねて一式の書類として活用する場合図３の如くホッチキスの近くで折り目線を作らないと書類のページ捲りがし難い状況が有る、又綴じられた一式書類を２穴式のリングファイル等に収納したままページ捲りをする場合は図５の如く用紙の綴じ位置周辺で用紙の余白が固定されているため、ページ捲りをする場合リングと干渉しページを完全な見開き状態にすることが出来ない、又既読した左側の用紙の裏面が大きく膨らむために未読のページの綴じ位置周辺が読みにくくなる欠点が有った。
【課題を解決するための手段】
【０００４】  長方形の紙片又は樹脂製フィルム片の、中央部を除いた両端部のそれぞれの片面に接着加工を施した接着面を有するシートを複数枚束ねて中心の非接着部を、紙片の場合はホッチキス等で、又樹脂製フィルムの場合は、例えば熱アイロン等の熱溶着手段で結束した書類用紙の結束綴じ具を使用する。【０００５】  前記の綴じ具の中央部の非接着部に、綴じ線を挟み対象に間隔を示す目安線を記入し、その間隔目安線に合わせて紙片の端部を接着面に接着することで、見開き状態での左右の書類用紙の間隔の調整が可能となり、リング式ファイルブックに綴じた場合、各種のリング径のサイズに応じた使用が可能になる。
【考案の効果】
【０００６】  本考案を実施した場合、第一に複数枚の書類用紙を図７の如く左側余白に綴じ具の接着面を各用紙間に貼り付けて結束させれば、図６のように用紙を開いた場合に見開きの中心線が用紙の外側になるため用紙部分を折り曲げずに１８０度又は３６０度開くことが出来る、又このことは書類一式のままコピー機によりコピーを取る場合、書類を折り曲げずにガラス面に密着出来る利点が有る。【０００７】  第二に、本綴じ具で結束した書類一式を市販されている２穴式リングファイルブックに綴じ込んだ場合、綴じ具の綴じ線とリングの中心が重なるため図８の如くページ捲りをするとき用紙の穴部分がリング径に沿って１８０度回転し完全な見開き状態に出来る。
【図面の簡単な説明】
【０００８】
【図１】結束綴じ具の斜視図
【図２】樹脂製フィルムを溶着した結束綴じ具の斜視図
【図３】ホッチキス針で束ねた書類一式の斜視図
【図４】ホッチキス針で束ねた書類一式の見開き状態の斜視図
【図５】ホッチキス針で束ねた書類一式をリング式ファイルブックに綴じた底面図
【図６】結束綴じ具で作成した書類一式を１８０度見開きにした状態と３６０度折り曲げた状態の底面図
【図７】結束綴じ具で作成した書類一式を１８０度見開きにした状態の斜視図
【図８】結束綴じ具で作成した書類一式をリング式ファイルブックに綴じた斜視図
【考案を実施するための形態】
【０００９】  図３で示す複数枚の定形用紙をまとめて、余白をホッチキス針５等で結束した書類一式は用紙１内に折り目線６を付けてページ捲りをする必要が有り、その書類一式をファイルブック１３に綴じ込んで書類管理する上でも面倒が有る。本考案は各用紙の余白外側に結束綴じ具３を接着させ、各用紙の見開き綴じ線４を用紙外側に出すことで用紙内に折り目線を付けず、完全に見開き状態でページ捲りが出来る事を目指す。
【実施例１】
【００１０】  図３で示す書類用紙１の左余白をホッチキス針５等で綴じた一式書類は使用上の不具合が多い、本考案は不具合を解消するため図１で示す結束綴じ具３を１個か２個を使用するこの結束綴じ具３は長方形のシートで中央部以外の両端部を斜線で示した接着面１０ａと裏面側の接着面１０ｂで構成された接着シート２を、書類用紙１の綴じ枚数の半分の枚数を使い中央部をホッチキス針５等で結束してある、この結束綴じ具３の接着面１０ａと１０ｂにページ順番を考慮した各書類用紙１を、綴じ線４が用紙の外側にはみ出た位置に接着させると用紙のページを捲る場合、図７で示す様に用紙１内に折り目線を付けずに完全な見開き状態でページを捲ることが出来る。【００１１】  接着シート２を樹脂製のフィルム等を使用した場合、複数枚の接着シート２の中央部を熱溶着手段、例えばアイロン等で必要枚数を溶着して結束することも出来る。
【実施例２】
【００１２】  図１で示す接着シート２の中央部の非接着部に、綴じ線４を中心にして左右対称に間隔目安線８ａ、８ｂを記入して書類用紙１の余白部分の端を、選択した間隔目安線に合わせて接着すると書類用紙１を見開き状態にした場合の左右の書類用紙１の間隔を定めることが出来る、この事は書類一式にパンチ穴を開けリング式ファイルブック１３に綴じる場合リングの各種サイズに対応が可能な工夫である。
【符号の説明】
【００１３】  １    書類用紙
２    接着シート
３    結束綴じ具
４    綴じ線
５    ホッチキス針
６    折り目線
７    リング
８ａ  間隔目安線
８ｂ  間隔目安線
９    パンチ穴
１０ａ  接着面
１０ｂ  接着面の裏面
１１    非接着部
１２    溶着部
１３    リング式ファイルブック
【図１】
0003205828.tif 000003
【図２】
0003205828.tif 000004
【図３】
0003205828.tif 000005
【図４】
0003205828.tif 000006
【図５】
0003205828.tif 000007
【図６】
0003205828.tif 000008
【図７】
0003205828.tif 000009
【図８】
0003205828.tif 000010
(57)【要約】      （修正有）【課題】簡単に取り外しが可能な上、安定してポールを固定できるポールとその固定具を提供する。【解決手段】ポール１底面にポール１の中心で点対称となる位置に一対のストッパープレート２を接合したポール１と、固定具３の中心近傍にポール１が回転しうる径の受け孔４を設けると共に、受け孔４の上部の一部分を覆う上部プレート５の一対を受け孔４の中心で点対称となる位置に接合させるとともに該一対の上部プレート５間に生じる固定具３面上の一方の空隙部を覆うと共に固定具３の受け孔４の内にその一部が陥入される構造を有して、かつ取り外し可能な安全カバー６を配すことを特徴とする固定具を組み合わせたポールと固定具である。【選択図】図１
0003205829.tif 000002
【実用新案登録請求の範囲】
【請求項１】
ポールを地上に設置するためのポールと固定具において、ポール底面にポールの中心で点対称となる位置に一対のストッパープレートを接合したポールと、固定具の中心近傍に前記ポールが回転しうる径の受け孔部を設けると共に、該受け孔部の上部の一部分を覆う上部プレートの一対を受け孔の中心で点対称となる位置に接合させるとともに、該一対の上部プレートのそれぞれの裏面側に受け孔の径よりも短い位置の一点にストッパープレートの過回転を防止するためのストッパーピンを受け孔の中心で点対称となる位置に接合させ、該一対の上部プレート間に生じる固定具面上の一方の空隙部を覆うと共に固定具の受け孔の内にその一部が陥入される構造を有して、かつ取り外し可能な安全カバーを配すことを特徴とする固定具を組み合わせたポールと固定具。
【考案の詳細な説明】
【技術分野】
【０００１】  本考案は、駐車場の出入り口や歩者道の境界に立設される車止めポールとポールの固定具に関するものである。
【背景技術】
【０００２】  駐車場の出入り口や、歩車道の境界において、必要時に車の進入を可能にする車止めポールが立設されている。車止めポールを設置するために、地中に孔をあけてポールを挿入固定するものや、地上に台座状の固定具を設置し、その台座上にポールをネジ或は嵌合により固定するものが多く用いられている（特許文献１〜３等）【０００３】  これらは、地中に深い穴を掘らなければならないものや、ボルトによる固定など煩雑な作業が必要となる他、簡便に取り外しが出来にくいものなどの課題があった。
【先行技術文献】
【特許文献】
【０００４】
【特許文献１】特開２００２−６８９０７５号公報
【特許文献２】特開２００５−２６４６４３号公報
【特許文献３】特開２００６−３２８６５０号公報
【考案の概要】
【考案が解決しようとする課題】
【０００５】  本考案は、簡単に取り外しが可能な上、安定してポールを固定できるポールとその固定具を提供することである。
【課題を解決するための手段】
【０００６】  ポールを地上に設置するためのポールと固定具において、ポール底面にポールの中心で点対称となる位置に一対のストッパープレートを接合したポールと、固定具の中心近傍に前記ポールが回転しうる径の受け孔部を設けると共に、該受け孔部の上部の一部分を覆う上部プレートの一対を受け孔の中心で点対称となる位置に接合させるとともに、該一対の上部プレートのそれぞれの裏面側に受け孔の径よりも短い位置の一点にストッパープレートの過回転を防止するためのストッパーピンを受け孔の中心で点対称となる位置に接合させ、該一対の上部プレート間に生じる固定具面上の一方の空隙部を覆うと共に固定具の受け孔の内にその一部が陥入される構造を有して、かつ取り外し可能な安全カバーを配すことを特徴とする固定具を組み合わせたポールと固定具。
【考案の効果】
【０００７】  本考案のポールと固定具は、簡便に取り外しが可能であり、固定した後は、通常の外力では、ポールの転倒、回転等の位置ずれが起こりにくく、また、意図しないポールの撤去を防ぐための簡便な手段も可能にする効果を有する。
【図面の簡単な説明】
【０００８】
【図１】本考案の実施例の一例図である。
【図２】本考案の使用例の写真である。
【考案を実施するための形態】
【０００９】  図１においてポール１の底部に溶接等で接合されたストッパープレート２を有し、ストッパープレート２はポール１の中心で点対称となるように接合されている。一方固定具３には受け孔４が設けられ、ポール１が固定具３内に陥入できる。陥入されたポールは回転できる。受け孔４の一部を覆うように受け孔の中心で点対称になるように一対の上部プレート５を固定具３の上面に接合させる。各上部プレート５の裏面の一点で、受け孔の半径よりも小さい距離で、お互いに受け孔の中心で点対称となる位置にストッパーピン７を接合しておくことにより、ポールが過回転するのを防ぐ。ポールを固定具に陥入させた後、ポールを９０度回転させてストッパープレートを上部プレートの下方に相対するようにしてポールを固定する。固定したポールが戻らないようにするために一対の上部プレートを配置して生じる２箇所の間隙の一方を覆う安全カバー６を嵌めこむ。安全カバーは受け孔の中心に向かって内側が下に凸になっており、受け孔の円周に沿って配置されることによって、ポールのストッパープレートが回転できなくなる。
この安全カバーの少なくとも一箇所に孔を開け、その穴の延長線上の固定具にメネジ部を設けることにより、安全カバー上部からボルトで安全カバーを半固定することも可能となり、意図しないポールの撤去を防止することが可能である。
【実施例】
【００１０】  図２に、図１に示した形態の使用例の写真を示した。
【産業上の利用可能性】
【００１１】  本考案は、駐車場等の出入り口の車止めポール等の固定具として利用できる。
【符号の説明】
【００１２】  １  ポール
２  ストッパープレート
３  固定具
４  受け孔
５  上部プレート
６  安全カバー
７  ストッパーピン
【図１】
0003205829.tif 000003
【図２】
0003205829.tif 000004
(57)【要約】      （修正有）【課題】緊急時において、排泄や着替えなど、プライバシー空間を省スペースで簡易迅速に確保することを容易にするカーテンを提供する。【解決手段】傘５を利用し、不透明な素材のカーテン１を筒状に作成し、カーテンの上部を巾着型に加工し、巾着部３の両サイドの紐４でカーテンの径を調節し、傘の頂部からカーテンを被覆させ、紐によって様々な傘の直径のサイズに対応し、さらに、紐の先端に最低１個のリング２を保有し、リングを、傘の頂部の突起部に掛けることで、カーテンの脱落を防ぐ。【選択図】図５
0003205833.tif 000002
【実用新案登録請求の範囲】
【請求項１】
傘を利用し、不透明な素材のカーテンを筒状に作成し、本カーテンの上部を巾着型に加工し、巾着部の両サイドの紐でカーテンの径を調節でき、前記傘の頂部から本カーテンを被覆させ、紐によって様々な傘の直径のサイズに対応し、さらに、当該紐の先端に最低１個のリングを保有し、当該リングを、前記傘の頂部の突起部に掛けることで、本カーテンの脱落を防ぐことを特徴とするカーテン
【請求項２】
本カーテンの筒径は、閉じている傘の径より大きく、本カーテンの巾着部の開口部の径は、前記傘を開いた時の径より小さく調整することを特徴とする請求項１に記載のカーテン。
【考案の詳細な説明】
【技術分野】
【０００１】  本考案は傘を利用し、筒状のカーテンを傘に被せることで、簡易迅速にプライバシー空間を確保することができる、カーテンに関するものである。
【背景技術】
【０００２】  従来の緊急時のプライバシーの確保の手段は、規模の大きなものが多く、保管に経済的負担が大きく、また、スペースを要し、設置に時間的、労働的負担もあり、省スペースに保管し、簡易迅速にプライバシー空間を確保することは困難であった。
［特許文献１］は、雨傘の上面から被覆可能な筒状のカバーであるが、雨傘用の透明な防水カバーであるため、プライバシー空間の確保は難しいという問題点がある。
［特許文献２］は、ビーチパラソルの周縁部に接合部材を用いて、ブラインド効果のある布などを取付け、人目を遮るビーチパラソルであるが、比較的大きく、保管スペースの確保や、狭小な空間で、簡易迅速にプライバシー空間を確保することは困難である。
【先行技術文献】
【特許文献】
【０００３】
【特許文献１】登録実用新案  第３１６９３９５号  公報
【特許文献２】登録実用新案  第３０２４７４０号  公報
【考案の概要】
【考案が解決しようとする課題】
【０００４】  災害や事故、登山などで、避難または、その場所に留まらなければならないことがある。予期せぬ事態に遭遇した場合、用具の使用までの保管や設置のスペースや、経済的な問題がある。そのため、排泄や着替えなどのプライバシー空間を、簡易迅速に確保することは困難であり、後回しになっているという欠点を解決しようとするものである。
【課題を解決するための手段】
【０００５】  本考案は、不透明な素材のカーテンを筒状に作成し、コンパクトに畳んで小さく保管ができ、且つ、傘の頂部から被せることで、容易にプライバシー空間が確保できることにより問題点を解決している。
【考案の効果】
【０００６】  上述のように、コンパクトに折り畳んで保管できることで、保管にかかる、経済的負担を軽くし、本カーテンの装着は、傘の頂部から被せるだけで、簡易迅速にプライバシー空間を確保するという効果を奏する。
【図面の簡単な説明】
【０００７】
【図１】本考案の全体を示す斜視図である。
【図２】本考案のリング部の装着方法を示す斜視図である。
【図３】本考案の装着後、傘を広げる前の斜視図である。
【図４】本考案の人体が入る図である。
【図５】本考案の実施例の斜視図である。
【図６】本考案の実施時の断面図である。
【図７】本考案の収納時における斜視図である。
【考案を実施するための形態】
【０００８】  保管時はコンパクトに折り畳んでおり、一般家庭でも容易に保管でき、手荷物に持参できる。自宅崩壊や外出時に災難に遭遇しても、傘を利用し、路上でも室内でも、傘の外径程度のスペースがあれば、本カーテンを前記傘に被せ、緊急時にすぐにプライバシー空間を確保可能となる。また、エレベーターなどの小さな空間に、折り畳み傘とともに、本カーテンを保管することも可能であり、長時間閉じ込められたなど、遭難や、急な排泄の際に、即時にプライバシー空間を確保することができる。各図では、雨傘を例に表記しているが、洋傘、和傘、日傘、雨傘、および折り畳み傘を含む。
【実施例】
【０００９】  以下、添付図面に従って実施例を説明する。１は布素材等適宜素材にて一体化されたカーテン本体、４の紐を両サイドから引っ張り、傘の径に調整する。２は前記カーテンを固定するために、メタル等適宜素材をしたリングである。２を６の突起部に掛けることで、１を固定させ、紐が短い場合は、リングを増やすことができる。その後、傘を広げ、装着を完了することができる。【００１０】  図４のように、片手で傘を持ち、片手で本カーテンを開き、空間に入り、図６のように、中で過ごすことができる。【００１１】  図７のように、１のカーテン本体をコンパクトに折り畳んで保管する。
【符号の説明】
【００１２】  １カーテン本体
２リング枠
３巾着部
４紐部
５傘
６傘頂部の突起部
７人
【図１】
0003205833.tif 000003
【図２】
0003205833.tif 000004
【図３】
0003205833.tif 000005
【図４】
0003205833.tif 000006
【図５】
0003205833.tif 000007
【図６】
0003205833.tif 000008
【図７】
0003205833.tif 000009
(57)【要約】      （修正有）【課題】足の血液の流れが良くなり、最悪の場合死をもたらすエコノミークラス症候群を、楽に予防出来るエコノミークラス症候群グッズを提供する。【解決手段】ハンドグリップ金属部分１の二本の棒を、穴を開けた基台２、足載せ台３に差込み、接着したもので、これに足先、かかとを乗せ上下に動かすことにより、血液の流れが良くなり、エコノミークラス症候群を予防できる。【選択図】図１
0003205834.tif 000002
【実用新案登録請求の範囲】
【請求項１】
ハンドグリップ金属部分（１）の二本の棒を、板状の基台（２）と足載せ台（３）にそれぞれ一個の穴を開け、その二本の棒をそれぞれの台に差込み接着し、足載せ台（３）の上にゴム系統のぶつぶつが付いた一枚（４）をその台の表面に接着し、基台（２）の裏角四方にすべり止めをつけたことを特徴とするエコノミークラス症候群グッズ。
【請求項２】
ハンドグリップの握りの部分をはずした金属の本体２対（１）を、２箇所穴を開けた基台（２）とゴム系突起が付いた１枚の足載せ台（３）、２枚にそれぞれ穴を開け、ハンドグリップの棒の先をそれぞれの台の穴に差込み、強力に接着し、足を乗せるステッパーとして使用を特徴とする請求項１記載のエコノミークラス症候群グッズ。
【考案の詳細な説明】
【技術分野】
【０００１】  本考案は、ハンドグリップの金属部分本体のみ使用し、これを穴の開けた基台と足載せ台に差込み接着することにより完成し、足載せ台に足先、指、かかとを乗せ上下に動かすことにより、足の血流が良くなり、エコノミークラス症候群に運動量が少ない高齢者が掛からないように、予防するステッパーに関する器具である。
【背景技術】
【０００２】  従来のステッパーは、立って足載せ台に乗り、左右の足を上下に強く踏むことにより、足の筋力を付ける目的が主であった。今までのステッパーでは、足、腰の悪い、運動が出来ない、または歩けない高齢者にはステッパーの台の上に立つことが出来ないため利用が出来ない。無理をして高齢者等が、従来のステッパーを利用すれば、大怪我の原因になる。今回の出願する物は、ステップの台の上に直接乗らず、椅子、ベッド、ソファー等に座った状態で、足載せ台の上に足の足先、指、かかとを載せ、筋力増強を重視せず、血流を流れのみを流れやすくするのが一番の目的である。小さなハンドグリップを中心に作られた片手で持てる小さなステッパーは、今までなかった。
【先行技術文献】
【０００３】
【特許文献１】登録実用新案第３１０７１１１号
【特許文献３】登録実用新案第３０６７３０８号
【考案の概要】
【考案が解決しようとする課題】
【０００４】  以上に述べた従来のステッパーは、次のような次点があった。足、腰の悪い、ほとんど運動が出来ない、歩くことが困難な人が足載せ台に乗り、足の運動をすれば台から落ちて怪我するおそれがある。従って、高齢者や膝を痛めているいる人が、エコノミークラス症候群に掛からないようにするには、椅子、ベッド、ソファーに座り、足先、足の指、足のかかとを上下に動かせば足の血液の流れが良くなり予防になる。この新しいステッパーは、予防だけでなく、今までの大きなステッパーと違い、指で動かすことが出来、価格も安く出来るはずである。このような目的で考案したものである。また、高齢者等が利用するため、ハンドグリップの握力の強度は、５キロ、１０キロ、１５キロ、２０キロ等利用者本人の体力に利用出来るようにする。
【課題を解決するための手段】
【０００５】  そして、本考案は上記目的を達成するために、構成を説明すると、ハンドグリップ金属のみの本体（１）に、穴の開いた基台（２）と足載せ台（３）に鉄の棒の先を突っ込み、また、足載せ台（３）の上には足つぼに効くように、足に痛くないゴム系統のぶつぶつを一枚貼り付ける。以上のような装置である。
【考案の効果】
【０００６】    上述したように本考案のエコノミークラス症候群グッズ（ステッパー）は、足、腰が悪く、運動が出来ない歩けない高齢者が、椅子、ベッド、ソファーに座って遊び感覚で足先、足の指、かかとをステッパーの足載せ台に載せ、上下に動かすことにより、足首、ふくろはぎの血液の流れが良くなり、危険な血栓が自力で溶かせ、エコノミークラス症候群の予防が出来、効果を発揮するものである。
【図面の簡単な説明】
【０００７】
【図１】本考案の完成した斜視図である。
【図２】取付け状態を示す斜視図である。
【図３】ステップにつま先を載せた斜視図。
【図４】ステップにかかとを載せた斜視図。
【考案を実施するための形態】
【０００８】  本考案のステッパーは、ステッパーの表面には、ぶつぶつの突起が付いおり、これはゴム系で踏んでも痛くない。足つぼ感覚で負荷の無いことを特徴とし、足先、指、かかとを乗せ、エコノミークラス症候群に掛からないように血液の流れを良くするものである。
【実施例１】  以下、図面に従って実施例を説明する。まず、実施者は、椅子、ベッド、ソファー等に座り、左右の足先又は指を足載せ台にかけ、上下に動かす（３）。また、左右の足のかかとを足載せ台の上に載せ、上下に動かす。この時、実施者はテレビを見ながら、足のみ動かすだけの簡単な動作で、無理なく出来る。血流が良くなる。一石二兆と言える。このような手軽さが、本考案の大きな特徴といえる。
【考案の効果】
上記の動作は、椅子、ベッド、ソファーに座り行えるので、高齢者、足、腰の悪い方、誰でも簡単に行える。エコノミークラス症候群の予防する運動は、第一に足首を動かすこと。これは足首を伸ばしたり、曲げたりすることがこれが一番大事であり、次の第二は、つま先や指を動かすことが大事でありこの二つは、ふくろはぎのマッサージが出来、血液の流れが良くなる。
【図面の簡単な説明】
【図１】本考案の完成した斜視図である。
【図２】取付け状態を示す斜視図である。
【図３】ステップに足のつま先を載せた斜視図。
【図４】ステップに足のかかとを載せた斜視図。
【符号の説明】
【０００９】１  ハンドグリップ
２  基台
３  足載せ台
４  ゴム系突起
５  滑り止め
６  足
７  穴
【図１】
0003205834.tif 000003
【図２】
0003205834.tif 000004
【図３】
0003205834.tif 000005
【図４】
0003205834.tif 000006
(57)【要約】      （修正有）【課題】１本の脚で複数本の脚を使用する車止めの効果を発揮する車止めポールを提供する。【解決手段】中空の車止めポール本体２の底部又は地面に接する近傍部位にポールの回転を阻止する手段及びポールを取り外し可能な手段を備えると共に、地上から該ポールの地上長の概ね３分の１より上方部に該ポールの水平方向に突出する袖部３を接合している。【選択図】図１
0003205832.tif 000002
【実用新案登録請求の範囲】
【請求項１】
中空の車止めポール本体の底部又は地面に接する近傍部位にポールの回転を阻止する手段及びポールを取り外し可能な手段を備えると共に、地上から該ポールの地上長の概ね３分の１より上方部に該ポールの水平方向に突出する袖部を接合していることを特徴とする車止めポール。
【考案の詳細な説明】
【技術分野】
【０００１】  本考案は、駐車場の出入り口や歩者道の境界に立設される車止めポールに関するものである。
【背景技術】
【０００２】  駐車場の出入り口や、歩車道の境界において、必要時に車の進入を可能にする車止めポールが立設されている。車止めポール間をチェーン等で架渡して車の進入を防ぐものや、水平方向に拡がりを有する複数の脚を有する柵等、様々なものが使用されている。【０００３】  従来のチェーン等でポール間を架渡する方式のものでは、不要な車の侵入は防げるが、人や自転車等の通行も妨げるものである。複数本の脚を有する柵状のものでは、柵の固定のために脚を地中に挿入させる穴を規定の間隔で設ける必要があることや、柵の変形による固定できなくなるといった問題があった。【０００４】  チェーンを架設する方法や、横パイプの接合方法等について多くの方法が開示されている（例えば、特許文献１〜４など）。
【先行技術文献】
【特許文献】
【０００５】
【特許文献１】特開２００６−１５２６３６号公報
【特許文献２】特開２００６−０５７３１９号公報
【特許文献３】特開２００５−３１５０３６号公報
【特許文献４】実開平０６−０７４６１６号公報
【考案の概要】
【考案が解決しようとする課題】
【０００６】  １本の脚で複数本の脚を使用する車止めの効果を発揮する車止めポールを提供することである。
【課題を解決するための手段】
【０００７】  中空の車止めポール本体の底部又は地面に接する近傍部位にポールの回転を阻止する手段及びポールを取り外し可能な手段を備えると共に、地上から該ポールの地上長の概ね３分の１より上方部に該ポールの水平方向に突出する袖部を接合していることを特徴とする車止めポール。
【考案の効果】
【０００８】  本考案の車止めポールは単一の脚で設置することができるうえ、水平方向に複数本のポールを使用したと同様のバリア効果を発揮することができることを特徴としている。単一のポールでカバーできない広い幅の部分をカバーするためには、複数本のポールを組み合わせて使用することも可能であり、その場合には水平方向及び／又は前後方向に適当な間隙を設けて設置することにより、使用時に人及び自転車等の通行を可能にできる効果を有する。
【図面の簡単な説明】
【０００９】
【図１】本考案の実施例の一例図である。
【図２】本考案の使用例の写真である。
【考案を実施するための形態】
【００１０】  図１において、車止めポール１は中空のポール本体２と、ポール本体２に溶接等で接合された袖部３と、ポール本体２の底部に溶接等で接合されたストッパープレート４を有し、車止めポール１を、地上に設けられた、車止めポールの受け部５の中心部の受け孔６に嵌め入れる。ポール受け部５には、１対の扇形状係止め部７が受け孔６の中心で点対称の位置に溶接等で接合されており、車止めポール１を受け孔６に嵌め入れた後、９０度回転させることによりストッパープレート４が扇形状係止め部７に嵌合することにより車止めポール１は地上に固定される。このとき、袖部３及びストッパープレートの長手方向を同一面上に配置するよう設置する。袖部３の取り付け位置は、ポール本体の地上部分の長さの地上から概ね３分の１から上方に１対又は複数個設ける。袖の長さは、バリヤー効果が得られる長さであれば特に限定されないが、概ね２０ｃｍ〜５０ｃｍが好適である。またその形状は、限定されることなく横アーチ型等適宜選択される。
【実施例】
【００１１】  図２に、図１に示した形態の使用例の写真を示した。
【産業上の利用可能性】
【００１２】  本考案は、駐車場等の出入り口の車止めポールとして利用できる。
【符号の説明】
【００１３】  １  車止めポール
２  ポール本体
３  袖部
４  ストッパープレート
５  ポール受け部
６  受け孔
７  扇形状係止め部
【図１】
0003205832.tif 000003
【図２】
0003205832.tif 000004
(57)【要約】      （修正有）【課題】メモ帳の表紙の開き立てにより１乃至数段のひな段飾りを形造り、かつ表紙の開き立て状態を支え止めする手段を持ったひな段飾り付きのメモ帳を提供する。【解決手段】メモ帳の表紙２に開き立てによりひな段飾りを形造る折り目４と切込み３とを設け、且つ表紙２に開き立てを支える支え溝５と、裏表紙６に舌片８とを設けて、支え溝５に舌片８を嵌入することにより表紙を開き立て状態にて支え止めするようにした。【選択図】図１
0003205868.tif 000002
【実用新案登録請求の範囲】
【請求項１】
メモ帳の表紙に開き立てによりひな段飾りを形造る折り目と切込みとを設け、且つ表紙に開き立てを支える支え溝と、裏表紙に舌片とを設けて、支え溝に舌片を嵌入することにより表紙を開き立て状態にて支え止めするようにしたことを特徴とするひな段飾り付きのメモ帳。
【請求項２】
ひな段飾りは１乃至数段にて形造られる請求項１に記載のひな段飾り付きのメモ帳。
【考案の詳細な説明】
【技術分野】
【０００１】
この考案はひな段飾り付きのメモ帳に関するものある。
【背景技術】
【０００２】
この種のメモ帳としては特開２００５−１０４１２２号公報がある。この公報はメモ帳の表紙にカレンダーを挿し付けして表紙を開き立てするとカレンダーを見ることができるようにしたということを記載している。
【特許文献１】特開２００５−１０４１２２号公報
【考案の開示】
【考案が解決しようとする課題】
【０００３】
しかしながら、この公報のメモ帳は開き立てした表紙を支え止めする手段がないために表紙はメモ用紙上に戻り倒れてカレンダーを見ることができなくなるという課題がある。
【課題を解決するための手段】
【０００４】
本考案は、開き立てした表紙を裏表紙の舌片の折り合わせ嵌着にて支え止めするようにして、かかる課題を解決するようにしたのである。
【考案の効果】
【０００５】
本考案は、メモ帳の表紙を開き立てた際に裏表紙の舌片の折り合わせ嵌着にて支え止めするので、開き立てた表紙はメモ用紙側に戻り倒れることがないという効果を生ずる。
【０００６】
表紙を開き立てすると、１乃至数段のひな段飾りが自動的に形造られるという効果を生ずる。
【０００７】
ひな段飾りは表紙に設ける折り目と切込みの形状によって変化させることができるという効果を生ずる。
【図面の簡単な説明】
【０００８】
【図１】本考案のひな段飾り付きメモ帳の１例を示す斜視図
【図２】同、表紙の開き立て前の状態を示す斜視図
【図３】同、開き立てしつつある状態の斜視図
【図４】裏表紙の舌片の掛止による表紙の支え止め状態を示す斜視図
【図５】ひな段飾りを３段に形造った例を示す側面図
【符号の説明】
【０００９】
１はメモ用紙束
２は表紙
３は切込み
４は折り目
５は支え溝
６は裏表紙
７ａ，７ａは裏表紙前端の切込み
８は舌片
９は補強台紙
Ｈはひな段飾り
Ｐは印刷した図柄
【考案を実施するための最良の形態】
【００１０】
本考案は、メモ帳の表紙にひな段飾り用の折り目と切込みを設けて、表紙を開き立てすると各折り目と切込みに沿って１乃至数段に折り立ちしたひな段飾りが形造られ、また開き立てした表紙を支え止めするために表紙に支え溝、裏表紙に舌片を設けて、開き立てした表紙の背側に裏表紙を返し折りして合わせて舌片を支え溝に嵌め止めて、表紙の開き立てを支え止めさせる。
【実施例１】
【００１１】
図１乃至図５は本考案の第１実施例であって、メモ用紙束１上の表紙２に１乃至数段の立体形をしたひな段飾りを形造るための数個の切込み３と折り目４を設け、ほかに支え溝５を設ける。裏表紙６は前端の切込み７ａ，７ａ間にて舌片８を形成する。
【００１２】
しかして、表紙２を開き立てすると、折り目４にて１乃至数段のひな段が形造られ、切込み３内の部分が折り立ってひな段飾りＨを形成することとなる。
【００１３】
次いで裏表紙６を背側に返し折りして表紙２に合わせて、舌片８を支え溝５に嵌め付けて表紙２を支え止めするのである。表紙２は開き立てした状態で支え止めされることになる。
【００１４】
このようにしてメモ帳は表紙の開き立てにより、形造られるひな段飾りＨを目の前にしてメモをとることになる。なお９はメモ用紙束１下に備えた補強台紙である。
【００１５】
ひな段飾りＨには図１に示すふくろうと止まり木のような図柄Ｐのほか、お雛様，表彰台，風景，キャラクター（いずれも図示してない）などの興趣をそそる各種の図柄を印刷しておくことができる。
【００１６】
図５はひな段を３段に形造った例を示すもので、さらに段飾りの高さ，奥行を調整して形造るときは４段、５段とすることもある。
【産業上の利用可能性】
【００１７】
本考案は、表紙を開き立てすると、１乃至数段の立体形をしたひな段飾りが形造られ、裏表紙の舌片が支え溝に嵌入掛止して表紙の開き立てを支えることで広く利用されるものである。
【図２】
0003205868.tif 000003
【図３】
0003205868.tif 000004
【図４】
0003205868.tif 000005
【図５】
0003205868.tif 000006
【図１】
0003205868.tif 000007
(57)【要約】      （修正有）【課題】吹き出しシャワー口を簡単に取り付け、取り外しでき、吹き出しシャワー口の紛失を防ぐことができるジョーロを提供する。【解決手段】ジョーロ本体の持ち手部分に、吹き出しシャワー口を保管できるマグネットホルダ保管具２を取り付ける。【選択図】図２
0003205845.tif 000002
【実用新案登録請求の範囲】
【請求項１】
ジョーロ本体から取り外したシャワー口を保管するためのマグネットホルダが設けられていることを特徴とするジョーロ。
【請求項２】
前記マグネットホルダがジョーロの持ち手に設けられていることを特徴とする請求項１に記載のジョーロ。
【考案の詳細な説明】
【技術分野】
【０００１】
本考案は、盆栽、植物等に散水するための道具であるジョーロに関し、簡単に吹き出しシャワー口を保管できるジョーロに関する。
【背景技術】
【０００２】
ジョーロの吹き出しシャワー口は、以前は手に持ったり、その場に外して置いたりし、作業が終わるとそのままにして終了するので、その後使用するときには置いた場所が分からなくなることがある。
【考案の開示】
【考案が解決しようとする課題】
【０００３】
例えば、春になって使用する時期になり、野菜、盆栽等様々な植物に使用する場合、吹き出しシャワー口が無いことに気が付いて、あちこち探してもなかなか見当たらないこともあるのが現実である。
【課題を解決するための手段】
【０００４】
本考案ジョーロ吹き出し口の保管具を、ジョーロの例えば持ち手の部分に取り付けるものである。
【考案の効果】
【０００５】
マグネットホルダからなる保管具をジョーロ本体の例えば持ち手に取り付けることで、非常に便利であり、吹き出しシャワー口を簡単に取り付け、取り外しができる。そして、吹き出しシャワー口の紛失を防ぐことができる。
【図面の簡単な説明】
【０００６】
【図１】本考案のジョーロを構成するための通常ジョーロ本体の説明図である。
【図２】本考案のジョーロにおいて吹き出しシャワー口を保管した状態の説明図である。
【図３】本考案に係る保管具の構成を表す説明図である。
【考案を実施するための形態】
【０００７】
以下本考案の最適な実施の形態を図１、図２及び図３を用いて詳細に説明する。図１の１は使用時のジョーロ本体の状態である。これをもとにして本考案
のジョーロが構成される。
【０００８】
図２の２は吹き出しシャワー口の保管具である。保管具は磁石を備えたマグネットホルダにより構成されている。図２の３は吹き出しシャワー口を保管している状態である。シャワー口は薄い板金製であるのでマグネットホルダに簡単に保管できる。
【０００９】
図３の４はマグネットホルダで、５はマグネットホルダが入る板金のケースである。これにマグネットホルダ４が入ることで、磁力によってマグネットホルダ４が確実に固定される。
【００１０】
このように本考案は、ジョーロ本体から取り外した吹き出しシャワー口を保管できるマグネットホルダが設けられていることを特徴とする。
【００１１】
なお、ジョーロ本体の持ち手部分に保管具を取り付けることで、吹き出しシャワー口を紛失することなく、その都度使い方に合わせて使用することができる。
【００１２】
なお、ジョーロ本体１の持ち手は通常空洞のため、たとえばモルタル等で上下又は高さを調整し水平の状態でマグネットホルダ４を５に入れて取付固定すればよい。
【符号の説明】
【００１３】
１            ジョーロ本体
２            保管具
３            ジョーロ吹き出しシャワー口保管の状態
４            マグネットホルダ
５            マグネットホルダを収める板金のケース
【図１】
0003205845.tif 000003
【図２】
0003205845.tif 000004
【図３】
0003205845.tif 000005
(57)【要約】      （修正有）【課題】目詰まりしにくい濾過器、及び、濾過器を利用して汚水を汚濁物質と水に分離して水を排水するポンプを提供する。【解決手段】三角形又は刃の形状をした吸い込み口を設けた濾過器１をポンプの吸い込み口４に取り付ける。【選択図】図５
0003205805.tif 000002
【実用新案登録請求の範囲】
【請求項１】
三角形（鋭角、鈍角、直角）の形状をした吸い込み口を設けた濾過器（１）
【請求項２】
刃の形状をした吸い込み口を設けた濾過器（２）
【請求項３】
濾過器（１）（２）の側面に流体の吐き出し口（３）を設けること
【請求項４】
ポンプの吸い込み口（４）に濾過器（１）を設けること
【請求項５】
ポンプの吸い込み口（４）に濾過器（２）を設けること
【請求項６】
濾過器（１）（２）の吸い込み口の幅（隙間）（１１）は０．０００１ｍｍ以上１ｍｍ以下とすること
【考案の詳細な説明】
【技術分野】
【０００１】濾過器とポンプ
【背景技術】
【０００２】濾過器とポンプ
【考案の開示】
【考案が解決しようとする課題】
【０００３】目詰まりしにくい濾過器を考えて作り、そしてその目詰まりしにくい濾過器を利用して汚水を汚濁物質（浮遊物質）と水に分離して水を排水するポンプを作る。
【課題を解決するための手段】
【０００４】三角形（鋭角、鈍角、直角）又は刃の形状をした吸い込み口を設けた濾過器をポンプの吸い込み口に取り付ける。
【考案の効果】
【０００５】濾過器の吸い込み口が三角形（鋭角、鈍角、直角）又は刃の形状になっている為、その吸い込み口が目詰まりしにくく及び汚水を汚濁物質（浮遊物質）と水に分離すること
【実施例】
【０００６】図５、６に示したように、ポンプの吸い込み口（４）に濾過器（１）又は（２）を取り付けて運転をする、そして必要に応じて濾過器（１）又は（２）の数とその濾過器（１）又は（２）の吸い込み口の幅（隙間）（１１）を増減する
【図面の簡単な説明】
【０００７】
【図１】三角形（鋭角、鈍角、直角）の形状をした吸い込み口を設けた濾過器（１）の断面図
【図２】刃の形状をした吸い込み口を設けた濾過器（２）の断面図
【図３】三角形（鋭角、鈍角、直角）並び刃の形状をした吸い込み口を設けた濾過器（１）（２）の側面の汚れを除去する為に設けた流体の吐き出し口（３）の正面図
【図４】既存（通常）の汚水ポンプの構造図
【図５】ポンプの吸い込み口（４）に三角形（鋭角、鈍角、直角）の形状をした吸い込み口を設けた濾過器（１）を取り付けた図
【図６】ポンプの吸い込み口（４）に刃の形状をした吸い込み口を設けた濾過器（２）を取り付けた図
【図７】濾過器（１）（２）の吸い込み口の幅（隙間）（１１）を明示した図
【符号の説明】
【０００８】（１）  三角形（鋭角、鈍角、直角）の形状をした吸い込み口を設けた濾過器
（２）  刃の形状をした吸い込み口を設けた濾過器
（３）  濾過器（１）（２）の側面の汚れを除去する為の流体の吐き出し口
（４）  ポンプの吸い込み口
（５）  モ−タ−
（６）  ナット
（７）  羽根車
（８）  ボルトの通し穴
（９）  ボルト
（１０）揚水管
（１１）濾過器（１）（２）の吸い込み口の幅（隙間）
【図１】
0003205805.tif 000003
【図２】
0003205805.tif 000004
【図３】
0003205805.tif 000005
【図４】
0003205805.tif 000006
【図５】
0003205805.tif 000007
【図６】
0003205805.tif 000008
【図７】
0003205805.tif 000009
【手続補正書】
【提出日】平成28年5月25日(2016.5.25)
【手続補正１】
【補正対象書類名】実用新案登録請求の範囲
【補正対象項目名】全文
【補正方法】変更
【補正の内容】
【実用新案登録請求の範囲】
【請求項１】
三角形の形状をした吸い込み口を設けた濾過器（１）。
【請求項２】
刃の形状をした吸い込み口を設けた濾過器（２）。
【請求項３】
濾過器（１）（２）の側面に流体の吐き出し口（３）を設けることを特徴とする請求項１又は請求項２に記載の濾過器。
【請求項４】
ポンプの吸い込み口（４）に請求項１又は請求項３に記載の濾過器（１）を設けることを特徴とするポンプ。
【請求項５】
ポンプの吸い込み口（４）に請求項２又は請求項３に記載の濾過器（２）を設けることを特徴とするポンプ。
【請求項６】
濾過器（１）（２）の吸い込み口の幅（隙間）（１１）は０．０００１ｍｍ以上１ｍｍ以下とすることを特徴とする請求項１〜３のいずれか一項に記載の濾過器。
(57)【要約】      （修正有）【課題】安定した自然エネルギーである重力を有効利用して、おもりの持つ位置エネルギーをアームで運動エネルギーに変え車輪を回転させ発電機を回し発電するアーク式重力発電機を提供する。【解決手段】安定した走行を行うため３台の車輪４を用いる。その３車輪のスタンド２を水平に発電機の回転軸１に固定する。車輪の片軸もしくは両軸３に水平角約４５°に中心角約９０°のアーム６を取り付け、エネルギー保存の法則が成り立つ様、先端に約９０°の角度でアーム６と同じ中心角約９０°におもり７を取り付ける為のアーク５を設ける。【選択図】図１
0003205808.tif 000002
【実用新案登録請求の範囲】
【請求項１】
安定した走行を行うため３台の車輪（４）を用いる。その３車輪（４）のスタンド（２）を水平に発電機の回転軸（１）に固定する。その車輪（４）の片軸もしくは両軸（３）に約４５°に中心角約９０°のアーム（６）を取りつけ、エネルギー保存の法則が成り立つ様、先端に約９０°の角度でアーム（６）と同じ中心角約９０°におもり（７）を取り付けるためのアーク（５）を設けたアーク式重力発電機。
【考案の詳細な説明】
【技術分野】
【０００１】  この考案は天候・場所、時間に関係なく安定したエネルギーの重力を有効利用するために、おもりを２本のアーク（円弧）をくの字状に乗せる事によりエネルギー保存の法則により車輪を回転させ発電機を動かす事により発電する発電方式に関するものである。
【背景技術】
【０００２】  従来、安定した発電には燃料が必要で温暖化の原因となり、自然エネルギー発電には時間・天候・場所など色んな問題があった。
【先行技術文献】
【特許文献】
【０００３】
【特許文献１】特願２０１５−１３９１９７（申請中）
【考案の概要】
【考案が解決しようとする課題】
【０００４】  これは次のような欠点があった
（イ）太陽光発電は日没後とか雨天の日は発電不能であった。
（ロ）風力発電は発電量にムラがあり強風では雑音が出たり壊れる事があった。
（ハ）水力発電所は莫大な水の量と膨大な開発・維持費がかかった。
【課題を解決するための手段】
【０００５】  安定した走行を行うため３台の車輪（４）を用いる。その３車輪（４）のスタンド（２）を水平に発電機の回転軸（１）に固定する。その車輪（４）の片軸もしくは両軸（３）に水平角約４５°に中心角約９０°のアーム（６）を取りつけエネルギー保存の法則が成り立つ様、先端に約９０°の角度でアーム（６）と同じ中心角約９０°におもり（７）を取り付ける為のアーク（５）を設けたアーク式重力発電機。
【考案の効果】
【０００６】  （イ）重力は２４時間安定した自然エネルギーなので日没も関係なく二酸化炭素もでない。
（ロ）屋内でも水平が保てて設置場所さえ有れば設置可能で天候に左右されない。
（ハ）山上とか海辺とか関係ないので送配電設備・変圧器がいらないので経済的。
（ニ）構造が簡素な為、製作費が安価でメンテナンスも簡単。
【図面の簡単な説明】
【０００７】
【図１】本考案の斜視図
【図２】本考案の側面原理図と運動エネルギーの方向
【考案を実施するための形態】
【０００８】  以下、考案を実施するための形態について説明する。
車輪（４）は２６インチ以上で摩擦抵抗の小さい、出来ればノーパンクの物を使用し上部を５°〜１０°内側に傾ける。安定した走行を行うため３台の車輪（４）を用いる。その３車輪（４）のスタンド（２）を水平に発電機の回転軸（１）に固定する。その車輪（４）の片軸もしくは両軸（３）に水平角約４５°〜３５°（おもりがアームの根本の場合は４５°先端の場合は３５°に調節）に中心角約９０°のアーム（６）約９０°におもり（７）を取り付ける為のアーク（５）を設けエネルギー保存の法則によりおもりの持つ位置エネルギーが車軸で運動エネルギーに変換され車輪を回転させるアーク式重力発電機。
アーム（６）と車軸（３）には強い負荷が掛かるので丈夫な物を利用。特に車軸（３）とアーム（６）を繋ぐナットは緩まないワッシャを使用。
また、パワーアップにはアーク（５）、アーム（６）のサイズを大きくする（本考案には車輪と同じ半径の物を使用）、おもりを重くする、このユニットを複数セット・複数段に増やすなどの方法がある。
【符号の説明】
【０００９】    １  発電機などの回転軸
２  スタンド
３  車軸
４  車輪
５  アーク（中心角約９０°の円弧）
６  アーム（中心角約９０°の円弧）
７  おもり
８  運動エネルギーの方向
【図１】
0003205808.tif 000003
【図２】
0003205808.tif 000004
【手続補正書】
【提出日】平成28年5月23日(2016.5.23)
【手続補正１】
【補正対象書類名】実用新案登録請求の範囲
【補正対象項目名】全文
【補正方法】変更
【補正の内容】
【実用新案登録請求の範囲】
【請求項１】
車輪（４）の片軸もしくは両軸（３）に約４５°に中心角約９０°のアーム（６）を取り付け、エネルギー保存の法則が成り立つ様、先端に約９０°の角度でアーム（６）と同じ中心角約９０°におもり（７）を取り付けるためのアーク（５）を設けたアーク式重力発電機。